(57)【要約】【課題】既存のカメラ付き携帯電話機に適用でき、簡単に着脱できるカメラ付き携帯電話機用レンズカバーを提供する。【解決手段】本発明のカメラ付き携帯電話機用レンズカバーは、携帯電話機本体Ｂに着脱可能に保持される保持部材１と、保持部材１に固定され、カメラのレンズ部Ｌ側に圧着する圧着部材２と、圧着部材２の表面に固定され、カメラのレンズ部Ｌに当接する緩衝部材３とを有する。保持部材１は、携帯電話機本体Ｂの周縁部に係止する係止部１ａと、圧着部材２を固定する基台部１ｂとを有する。【選択図】　図１
2004072436.tif 000002
【特許請求の範囲】
【請求項１】
カメラ付き携帯電話機の携帯電話機本体に着脱可能に保持される保持部材と、
前記保持部材に固定され、前記カメラのレンズ部側に圧着する圧着部材と、
前記圧着部材の表面に固定され、前記カメラのレンズ部に当接する緩衝部材と、
を有することを特徴とするカメラ付き携帯電話機用レンズカバー。
【請求項２】
前記保持部材は、前記携帯電話機本体の周縁部に係止する係止部と、前記圧着部材を固定する基台部とを有することを特徴とする請求項１に記載のカメラ付き携帯電話機用レンズカバー。
【請求項３】
前記保持部材は、前記携帯電話機本体に嵌合するように形成されていることを特徴とする請求項１に記載のカメラ付き携帯電話機用レンズカバー。
【請求項４】
前記圧着部材は、前記カメラの凹状のレンズ部に嵌るように凸状に形成されていることを特徴とする請求項１乃至３のいずれか１つの項に記載のカメラ付き携帯電話機用レンズカバー。
【請求項５】
前記圧着部材は、前記カメラの凸状のレンズ部に嵌るように凹状に形成されていることを特徴とする請求項１乃至３のいずれか１つの項に記載のカメラ付き携帯電話機用レンズカバー。
【発明の詳細な説明】
【０００１】
【発明の属する技術分野】
本発明は、カメラ付き携帯電話機の携帯電話機本体に着脱可能に取り付けられるレンズカバーに関し、特に、カメラのレンズ面を保護したり、盗撮の誤解を防いだり、撮影禁止施設に入る場合などに用いられるカメラ付き携帯電話機用レンズカバーに関する。
【０００２】
【従来の技術】
近年、携帯電話機の多機能化に伴い、カメラ機能を備えた携帯電話機が普及している。
【０００３】
カメラ付き携帯電話機は、カメラのレンズ部が携帯電話機本体の表面に露出した状態で構成されているので、カメラ使用の有無にかかわらず、カメラのレンズ部が露出したままの状態になっていた。そのため、次のような不都合が生じていた。
【０００４】
（１）レンズ部にほこり、汚れ、傷などが付きやすい。
【０００５】
（２）落下などの衝撃に対して弱く、故障しやすい。
【０００６】
（３）カメラを使用していない時でも、レンズ部が他者に向いていることにより、盗撮されているとの誤解を生じやすい。
【０００７】
（４）コンサート会場のような撮影禁止施設では、そのままカメラ付き携帯電話機を持ち込めない場合がある。
【０００８】
そこで、例えば特開２００１−３０９００３号公報には、カメラ及びレンズを保護するための保護カバーが携帯電話機本体に対して移動可能な状態で取り付けれている携帯電話装置が提案されている。この従来の携帯電話装置の保護カバーは、携帯電話機本体に対して、カメラを覆う位置からカメラが露出する位置までスライド可能又は回転可能に構成されている（以下、この技術を従来例１という）。
【０００９】
また、撮影禁止施設などでは、携帯電話機のレンズ部周辺に撮影禁止シールを貼り付けることが提案されている（以下、この技術を従来例２という）。
【００１０】
【発明が解決しようとする課題】
従来例１では、保護カバーが携帯電話機本体に着脱できない構成なので、既存のカメラ付き携帯電話機には適用できないという課題がある。また、保護カバーを備えた専用の携帯電話機を製造する必要があるため、製造コストがかかるという課題がある。
【００１１】
また、従来例２では、レンズ部周辺にシールを貼り付けるだけであるので、既存のカメラ付き携帯電話機に適用でき、安価に製造できる。しかし、貼り付けたシールを剥がすのは面倒であり、また、シールを剥がした部分に跡が残ってしまうという課題がある。
【００１２】
本発明は、上記課題を解決するためになされたものであり、既存のカメラ付き携帯電話機に適用でき、簡単に着脱できるカメラ付き携帯電話機用レンズカバーを提供することを目的とする。
【００１３】
【課題を解決するための手段】
本発明のカメラ付き携帯電話機用レンズカバーは、カメラ付き携帯電話機の携帯電話機本体に着脱可能に保持される保持部材と、前記保持部材に固定され、前記カメラのレンズ部側に圧着する圧着部材と、前記圧着部材の表面に固定され、前記カメラのレンズ部に当接する緩衝部材とを有することを特徴とするものである。
【００１４】
前記保持部材は、前記携帯電話機本体の周縁部に係止する係止部と、前記圧着部材を固定する基台部とを有してもよい。
【００１５】
前記保持部材は、前記携帯電話機本体に嵌合するように形成されていてもよい。
【００１６】
前記圧着部材は、前記カメラの凹状のレンズ部に嵌るように凸状に形成されていてもよい。
【００１７】
前記圧着部材は、前記カメラの凸状のレンズ部に嵌るように凹状に形成されていてもよい。
【００１８】
【発明の実施の形態】
以下、本発明の実施の形態について図面を参照して説明する。図１（Ａ）は本発明の第１の実施形態例に係るカメラ付き携帯電話機用レンズカバーを示す斜視図、（Ｂ）はその側面図、（Ｃ）はカメラ付き携帯電話機本体の周縁部を示す側面図、（Ｄ）は本発明の第１の実施形態例に係るカメラ付き携帯電話機用レンズカバーを携帯電話機本体の周縁部に取り付けた状態を示す側面図である。
【００１９】
図２（Ａ）は本発明の第１の実施形態例に係るカメラ付き携帯電話機用レンズカバーを携帯電話機本体の周縁部に取り付けた状態を示す平面図、（Ｂ）は携帯電話機本体の蓋部を開いた状態の底面図である。
【００２０】
図１（Ａ）及び（Ｂ）に示すように、本発明の第１の実施形態例に係るカメラ付き携帯電話機用レンズカバーは、携帯電話機本体Ｂに着脱可能に保持される保持部材１と、保持部材１に固定され、カメラのレンズ部Ｌ側に圧着する圧着部材２と、圧着部材２の表面に固定され、カメラのレンズ部Ｌに当接する緩衝部材３とを有する。
【００２１】
保持部材１は、例えばステンレスのような軟質で、ある程度弾力性のある金属で作られ、携帯電話機本体Ｂの周縁部に係止する逆Ｕ字形状の係止部１ａと、圧着部材２を固定する幅広の基台部１ｂとを有する。なお、取付時に携帯電話機の携帯電話機本体Ｂを傷つけないように、保持部材１の裏面に保護シートを被覆するのが好ましい。
【００２２】
圧着部材２は、硬化プラスチック、硬化ビニール又はゴムなどで作られ、カメラの凹状のレンズ部Ｌ（図１（Ｃ）参照）に嵌るように凸状に形成されている。
【００２３】
緩衝部材３は、例えばスポンジなどで作られ、レンズ面に接触してレンズ面を保護する役割を有する。緩衝部材３と圧着部材２とは、例えば両面テープなどで接着する。
【００２４】
本発明の第１の実施形態例に係るカメラ付き携帯電話機用レンズカバーを携帯電話機本体Ｂの周縁部に取り付ける場合には、図１（Ｄ）、図２（Ａ）及び（Ｂ）に示すように、保持部材１を若干広げて、携帯電話機本体Ｂの周縁部（この例では蓋の上部）に係止し、圧着部材２を凹状のレンズ部Ｌに嵌合し、緩衝部材３をカメラのレンズ部Ｌ面に接触させた後、保持部材１を元の位置に戻す。
【００２５】
本発明の第１の実施形態例に係るカメラ付き携帯電話機用レンズカバーによれば、既存のカメラ付き携帯電話機に取り付けることができるので、保護カバーを備えた専用の携帯電話機を製造する必要がなく、製造コストが安価になる。
【００２６】
また、保持部材１により携帯電話機本体Ｂに簡単に着脱できるので、撮影禁止シールのように剥がすのが面倒であったり、シールを剥がした部分に跡が残ってしまうこともない。
【００２７】
また、本発明のカメラ付き携帯電話機用レンズカバーを携帯電話機本体Ｂに取り付けることにより、レンズ部Ｌにほこり、汚れ、傷などが付くのを防止でき、落下などの衝撃に対してレンズ部Ｌを保護できる。
【００２８】
さらに、本発明のカメラ付き携帯電話機用レンズカバーによってレンズ部Ｌを覆い隠すため、盗撮されているとの誤解を他者に与えることを防止でき、コンサート会場のような撮影禁止施設でも、カメラ付き携帯電話機を持ち込むことが可能となる。
【００２９】
図３（Ａ）は本発明の第２の実施形態例に係るカメラ付き携帯電話機用レンズカバーを示す側面図、（Ｂ）はカメラ付き携帯電話機本体Ｂの周縁部を示す側面図、（Ｃ）は本発明の第２の実施形態例に係るカメラ付き携帯電話機用レンズカバーを携帯電話機本体Ｂの周縁部に取り付けた状態を示す側面図である。
【００３０】
第２の実施形態例では、カメラ付き携帯電話機のレンズ部Ｌが凸状に形成されている場合に適合するために、圧着部材２は、カメラの凸状のレンズ部Ｌに嵌るように凹状に形成されている点を特徴としている。その他の構成については、第１の実施形態例と同様である。
【００３１】
図４は、本発明の第３の実施形態例に係るカメラ付き携帯電話機用レンズカバーを示す斜視図である。第３の実施形態例では、保持部材１の係止部１ａの先端部が略コ字状に形成されているので、携帯電話機本体Ｂに確実に係止することができる。
【００３２】
図５（Ａ）は本発明の第４の実施形態例に係るカメラ付き携帯電話機用レンズカバーを示す斜視図、（Ｂ）はその正面図、（Ｃ）は本発明の第４の実施形態例に係るカメラ付き携帯電話機用レンズカバーを携帯電話機本体Ｂに嵌合した状態を示す平面図である。
【００３３】
第４の実施形態例では、保持部材１が、携帯電話機本体Ｂに嵌合するように帯状に形成されていることを特徴としている。保持部材１は、例えばプラスチックやビニールなどを成形して作られている。第４の実施形態例によれば、例えば図５（Ｃ）に示すように、レンズ部ＬがヒンジＨ側近傍に配置されている場合であっても、携帯電話機本体Ｂに簡単に取り付けることができる。
【００３４】
図６（Ａ）は本発明の第５の実施形態例に係るカメラ付き携帯電話機用レンズカバーを示す斜視図、（Ｂ）はその正面図、（Ｃ）は本発明の第５の実施形態例に係るカメラ付き携帯電話機用レンズカバーを携帯電話機本体Ｂに嵌合した状態を示す平面図である。
【００３５】
第５の実施形態例では、保持部材１の両端部が略Ｃ字状に湾曲して形成され、携帯電話機本体Ｂの両周縁部に係止するように構成されている。第５の実施形態例では、例えば図６（Ｃ）に示すように、レンズ部ＬがヒンジＨ側に配置されている場合であっても、携帯電話機本体Ｂに簡単に取り付けることができる。
図６（Ｄ）は本発明の第５の実施形態例に係るカメラ付き携帯電話機用レンズカバーの変形例を示す平面図、（Ｅ）はその正面図である。
【００３６】
第５の実施形態例の変形例では、圧着部材２を固定している保持部材１の基台部１ｂが他の部分よりも幅広に形成されている点を特徴としている。その他の構成は第６の実施形態例と同様である。
【００３７】
図７（Ａ）は本発明の第６の実施形態例に係るカメラ付き携帯電話機用レンズカバーを示す斜視図、（Ｂ）はその正面図、（Ｃ）は本発明の第６の実施形態例に係るカメラ付き携帯電話機用レンズカバーを携帯電話機本体Ｂに嵌合した状態を示す平面図である。
【００３８】
第６の実施形態例では、第４の実施形態例と同様に、保持部材１が、携帯電話機本体Ｂに嵌合するように形成されているが、携帯電話機本体Ｂに設けられたアンテナ挿入部Ｓに沿って嵌合するように、突出部１ｃが形成されている点を特徴としている。第６の実施形態例によれば、図７（Ｃ）のように、レンズ部Ｌがアンテナ挿入部側の本体Ｂに配置されている場合であっても、携帯電話機本体Ｂに簡単に取り付けることができる。
【００３９】
本発明は、上記実施の形態に限定されることはなく、特許請求の範囲に記載された技術的事項の範囲内において、種々の変更が可能である。例えば、本発明のカメラ付き携帯電話機用レンズカバーの材質や形状は、取付対象となる携帯電話機に応じて適宜変更され、明細書及び図面に開示されたものは例示である。
【００４０】
【発明の効果】
本発明によれば、次のような効果を奏する。
【００４１】
（１）既存のカメラ付き携帯電話機に取り付けることができるので、保護カバーを備えた専用の携帯電話機を製造する必要がなく、製造コストが安価になる。
【００４２】
（２）保持部材により携帯電話機本体に簡単に着脱できるので、撮影禁止シールのように剥がすのが面倒であったり、シールを剥がした部分に跡が残ってしまうこともない。
【００４３】
（３）本発明のカメラ付き携帯電話機用レンズカバーを携帯電話機本体に取り付けることにより、レンズ部にほこり、汚れ、傷などが付くのを防止でき、落下などの衝撃に対してレンズ部を保護できる。
【００４４】
（４）本発明のカメラ付き携帯電話機用レンズカバーによりレンズ部を覆い隠すため、盗撮されているとの誤解を他者に与えることを防止でき、コンサート会場のような撮影禁止施設でも、カメラ付き携帯電話機を持ち込むことができる。
【図面の簡単な説明】
【図１】（Ａ）は本発明の第１の実施形態例に係るカメラ付き携帯電話機用レンズカバーを示す斜視図、（Ｂ）はその側面図、（Ｃ）は携帯電話機本体の周縁部を示す側面図、（Ｄ）は本発明の第１の実施形態例に係るカメラ付き携帯電話機用レンズカバーを携帯電話機本体の周縁部に取り付けた状態を示す側面図である。
【図２】（Ａ）は本発明の第１の実施形態例に係るカメラ付き携帯電話機用レンズカバーを携帯電話機本体の周縁部に取り付けた状態を示す平面図、（Ｂ）は携帯電話機本体の蓋部を開いた状態の底面図である。
【図３】（Ａ）は本発明の第２の実施形態例に係るカメラ付き携帯電話機用レンズカバーを示す側面図、（Ｂ）は携帯電話機本体の周縁部を示す側面図、（Ｃ）は本発明の第２の実施形態例に係るカメラ付き携帯電話機用レンズカバーを携帯電話機本体の周縁部に取り付けた状態を示す側面図である。
【図４】本発明の第３の実施形態例に係るカメラ付き携帯電話機用レンズカバーを示す斜視図である。
【図５】（Ａ）は本発明の第４の実施形態例に係るカメラ付き携帯電話機用レンズカバーを示す斜視図、（Ｂ）はその正面図、（Ｃ）は本発明の第４の実施形態例に係るカメラ付き携帯電話機用レンズカバーを携帯電話機本体に嵌合した状態を示す平面図である。
【図６】（Ａ）は本発明の第５の実施形態例に係るカメラ付き携帯電話機用レンズカバーを示す斜視図、（Ｂ）はその正面図、（Ｃ）は本発明の第５の実施形態例に係るカメラ付き携帯電話機用レンズカバーを携帯電話機本体に嵌合した状態を示す平面図、（Ｄ）は本発明の第５の実施形態例に係るカメラ付き携帯電話機用レンズカバーの変形例を示す平面図、（Ｅ）はその正面図である。
【図７】（Ａ）は本発明の第６の実施形態例に係るカメラ付き携帯電話機用レンズカバーを示す斜視図、（Ｂ）はその正面図、（Ｃ）は本発明の第６の実施形態例に係るカメラ付き携帯電話機用レンズカバーを携帯電話機本体に嵌合した状態を示す平面図である。
【符号の説明】
１：保持部材
１ａ：係止部
１ｂ：基台部
１ｃ：突出部
２：圧着部材
３：緩衝部材
Ｌ：レンズ部
Ｂ：携帯電話機本体
Ｈ：ヒンジ
Ｓ：アンテナ挿入部
【図１】
2004072436.tif 000003
【図２】
2004072436.tif 000004
【図３】
2004072436.tif 000005
【図４】
2004072436.tif 000006
【図５】
2004072436.tif 000007
【図６】
2004072436.tif 000008
【図７】
2004072436.tif 000009